(57)【要約】【課題】  低温で白濁しにくく、取扱性が良好な洗浄剤組成物を提供することである。【解決手段】  洗浄剤組成物は、スルホン酸塩型界面活性剤および硫酸エステル塩型界面活性剤から選ばれるアニオン性界面活性剤Ａと、両性界面活性剤Ｂと、水とを含む組成物であって、前記両性界面活性剤Ｂが下記一般式（１）で示されるベタイン型界面活性剤であり、前記組成物の２５℃における粘度が１０００ｍＰａ・ｓ以上である。【化１】2015113355.tif 000007（但し、Ｒはアルキル基またはアルケニル基であり、その炭素数が１４のものがＲ全体の８０モル％以上を占める。）【選択図】  なし【特許請求の範囲】
【請求項１】
スルホン酸塩型界面活性剤および硫酸エステル塩型界面活性剤から選ばれるアニオン性界面活性剤Ａと、両性界面活性剤Ｂと、水とを含む組成物であって、
前記両性界面活性剤Ｂが下記一般式（１）で示されるベタイン型界面活性剤であり、
前記組成物の２５℃における粘度が１０００ｍＰａ・ｓ以上である、
洗浄剤組成物。
【化１】
2015113355.tif 000006
（但し、Ｒはアルキル基またはアルケニル基であり、その炭素数が１４のものがＲ全体の８０モル％以上を占める。）
【請求項２】
前記Ｒの炭素数が１３以下のものがＲ全体の２０モル％以下を占め、炭素数１５以上のものがＲ全体の１０モル％以下を占める、請求項1に記載の洗浄剤組成物。
【請求項３】
前記両性界面活性剤Ｂに対する前記アニオン性界面活性剤Ａの比率（Ａ／Ｂ）が０．２≦Ａ／Ｂ≦４．０を満足する、請求項１または２に記載の洗浄剤組成物。
【発明の詳細な説明】
【技術分野】
【０００１】
本発明は洗浄剤組成物に関する。
【背景技術】
【０００２】
台所用洗浄剤、シャンプー、浴室洗浄剤、トイレ洗浄剤等の洗浄剤組成物では、洗浄力はもとより豊かな泡立ち、良好な取扱性や保存安定性が求められる。これらの特性の中でも取扱性は使用する際に重要であり、保存安定性は製剤の流通上重要であるといえる。これらの特性を有する洗浄剤組成物としては、従来、アニオン性界面活性剤および脂肪酸ジエタノールアミドが併用され、さらにはアミドプロピルベタイン型界面活性剤が併用されてきた。
しかし、１９９０年代以降、脂肪酸ジエタノールアミドから生成しうる不純物について発がん性が疑われ、２０１２年には国際がん研究機関（ＩＡＲＣ）が発がん性リスクをグループ２Ｂに引き上げた。
【０００３】
このような理由から、近年、安全性に疑問がある脂肪酸ジエタノールアミドの代替検討が研究されており、一般には、アニオン性界面活性剤および脂肪酸モノエタノールアミドを併用したり、アニオン性界面活性剤およびアルキルアミンオキサイドを併用したりすることが行われている。しかし、前者の併用の組合せでは脂肪酸モノエタノールアミドが常温より高融点であるために低温時には澱が発生しやすいという問題があり、後者の併用の組合せでは十分な粘度が得られないという問題がある。
たとえば、特許文献１では、Ｎ−アルキル脂肪酸モノエタノールアミドと他の界面活性剤を併用することが提案されている。Ｎ−アルキル脂肪酸モノエタノールアミドは一般に常温で液体であり低温安定性に優れ、十分な粘度を有する。しかし、Ｎ−アルキル脂肪酸モノエタノールアミドは製造時に２級アミンであるＮ−アルキルモノエタノールアミンおよび脂肪酸または脂肪酸エステルを反応させて得るため、有害なニトロソアミンが生成する原因となりうる。
【０００４】
また、特許文献２および３では、特定のアミドプロピルベタイン型界面活性剤を配合する洗浄剤が提案されている。しかし、アミドプロピルベタイン型界面活性剤は製造工程が煩雑であるために高価である。さらに、非特許文献１では、セチルベタインが例示され、アニオン性界面活性剤との配合系で増粘挙動を示すことが示されている。しかし、このベタインは低温安定性に難がある。
【先行技術文献】
【特許文献】
【０００５】
【特許文献１】特開２００４−３２３６１４号公報
【特許文献２】特開平１１−５００９１号公報
【特許文献３】特開平６−１４５６９３号公報
【非特許文献１】Tony O’Lenick, Laura Anderson, Cosmetics ＆ Toiletries magazine, 2006, 121, 67-74
【発明の概要】
【発明が解決しようとする課題】
【０００６】
本発明の目的は、低温で白濁しにくく、取扱性が良好な洗浄剤組成物を提供することである。
【課題を解決するための手段】
【０００７】
上記課題を解決するために、本発明者らは鋭意検討した結果、特定のアニオン性界面活性剤および特定の両性界面活性剤を配合することにより、上記課題が解決できることを見出し、本発明を完成するに至った。
本発明の洗浄剤組成物は、スルホン酸塩型界面活性剤および硫酸エステル塩型界面活性剤から選ばれるアニオン性界面活性剤Ａと、両性界面活性剤Ｂと、水とを含む組成物であって、前記両性界面活性剤Ｂが下記一般式（１）で示されるベタイン型界面活性剤であり、前記組成物の２５℃における粘度が１０００ｍＰａ・ｓ以上である。
【０００８】
【化１】
2015113355.tif 000002
【０００９】
（但し、Ｒはアルキル基またはアルケニル基であり、その炭素数が１４のものがＲ全体の８０モル％以上を占める。）
前記Ｒの炭素数が１３以下のものがＲ全体の２０モル％以下を占め、炭素数１５以上のものがＲ全体の１０モル％以下を占めると好ましい。
前記両性界面活性剤Ｂに対する前記アニオン性界面活性剤Ａの比率（Ａ／Ｂ）が０．２≦Ａ／Ｂ≦４．０を満足すると好ましい。
【発明の効果】
【００１０】
本発明の洗浄剤組成物は、低温で白濁しにくく、取扱性が良好である。
【発明を実施するための形態】
【００１１】
本発明の洗浄剤組成物は、アニオン性界面活性剤Ａ、両性界面活性剤Ｂおよび水を含む組成物である。
【００１２】
〔アニオン性界面活性剤Ａ〕
アニオン性界面活性剤Ａは、スルホン酸塩型界面活性剤および硫酸エステル塩型界面活性剤から選ばれる界面活性剤であり、これらの界面活性剤の両方から構成されていてもよく、いずれか一方から構成されていてもよい。アニオン性界面活性剤Ａは、本発明の洗浄剤組成物において、洗浄性を発現する成分である。
スルホン酸塩型界面活性剤としては、たとえば、直鎖ドデシルベンゼンスルホン酸ナトリウム、分岐ドデシルベンゼンスルホン酸ナトリウム等のアルキルベンゼンスルホン酸塩；α−テトラデセンスルホン酸ナトリウム、α−ヘキサデセンスルホン酸ナトリウム、α−ヘキサデセンスルホン酸カリウム等のα−オレフィンスルホン酸塩；ドデシルスルホン酸ナトリウム、テトラデシルスルホン酸ナトリウム等のアルカンスルホン酸塩；α−スルホラウリン酸メチルナトリウム、メトキシヘキサエチレングリコール−α−スルホラウリン酸メチルナトリウム等のα−スルホ脂肪酸エステル塩；ココイルイセチオン酸ナトリウム、ココイルイセチオン酸アンモニウム等のアシルイセチオン酸塩；ココイルメチルタウリンナトリウム等のＮ−アシル−Ｎ−メチルタウリン酸塩；ジオクチルスルホコハク酸ナトリウム等のジアルキルスルホコハク酸塩；プロピルナフタレンスルホン酸ナトリウム等のアルキルナフタレンスルホン酸塩等を挙げることができる。スルホン酸塩型界面活性剤としては、α−オレフィンスルホン酸塩、アルカンスルホン酸塩等が好ましく、アルカンスルホン酸塩等がさらに好ましい。これらのスルホン酸塩型界面活性剤は１種または２種以上を併用してもよい。
【００１３】
硫酸エステル塩型界面活性剤としては、たとえば、ラウリル硫酸ナトリウム、ラウリル硫酸カリウム、ラウリル硫酸トリエタノールアミン、オレイル硫酸ナトリウム等のアルキル硫酸エステル塩；ポリオキシエチレン（３）ラウリル硫酸エステルナトリウム、ポリオキシエチレン（３）セチル硫酸エステルナトリウム、ポリオキシエチレン（３）セチル硫酸エステルトリエタノールアミン等のポリオキシエチレンアルキルエーエル硫酸エステル塩；ロート油等の硫酸化油；硫酸化オレイン酸ブチル等の硫酸化脂肪酸エステル塩等を挙げることができる。上記で、ポリオキシエチレン（３）とは、オキシエチレン基の繰返し単位数が３であるポリオキシエチレン基を意味する。硫酸エステル塩型界面活性剤としては、アルキル硫酸エステル塩、ポリオキシエチレンアルキルエーテル硫酸エステル塩、硫酸化脂肪酸エステル塩、硫酸化オレフィン塩等が好ましく、アルキル硫酸エステル塩、ポリオキシエチレンアルキルエーエル硫酸エステル塩等がさらに好ましい。これらの硫酸エステル塩型界面活性剤は１種または２種以上を併用してもよい。
スルホン酸塩型界面活性剤および硫酸エステル塩型界面活性剤に含まれる塩の種類については、特に限定はなく、たとえば、リチウム塩、ナトリウム塩、カリウム塩等のアルカリ金属塩；トリエタノールアミン塩等のアミン塩等を挙げることができる。上記塩の種類としては、汎用性および経済的理由から、ナトリウム塩、カリウム塩、トリエタノールアミン塩等が好ましく、ナトリウム塩、トリエタノールアミン塩等がさらに好ましい。
【００１４】
〔両性界面活性剤Ｂ〕
両性界面活性剤Ｂは、下記一般式（１）で示されるベタイン型界面活性剤であり、１種または２種以上を併用してもよい。両性界面活性剤Ｂは、本発明の洗浄剤組成物において、洗浄助剤として作用して、低温での白濁を抑制し、粘度を高めて取扱性を良くする効果を発現する成分である。
【００１５】
【化１】
2015113355.tif 000003
【００１６】
ここで、Ｒはアルキル基またはアルケニル基であり、直鎖状のものが好ましい。Ｒは１種または２種以上から構成されていてもよい。
Ｒの炭素数については、特に限定はないが、好ましくは６〜２４、より好ましくは８〜１８、さらに好ましくは１０〜１６、特に好ましくは１２〜１４である。Ｒの炭素数が６未満であると、洗浄剤組成物の粘度が低くなり取扱性が不良となることがある。一方、Ｒの炭素数が２４を超えると、洗浄剤組成物が低温で白濁して、粘度が高くなり取扱性が不良となることがある。
【００１７】
Ｒの炭素数が１４のものがＲ全体の８０モル％以上を占め、好ましくは８５モル％以上を占め、より好ましくは９０モル％以上を占め、さらに好ましくは９５モル％以上を占めると、洗浄剤組成物が低温で白濁しにくく、洗浄剤組成物の取扱性が良好となる。Ｒの炭素数が１４のものがＲ全体に占める割合の上限は１００モル％である。一方、Ｒの炭素数が１４のものがＲ全体に占める割合が８０モル％未満であると、洗浄剤組成物が低温で白濁したり、または粘度が低くなり取扱性が不良となることがある。
Ｒの炭素数が１３以下のものが、好ましくはＲ全体の２０モル％以下を占め、より好ましくは１８モル％以下を占め、より好ましくは１５モル％以下を占め、さらに好ましくは１０モル％以下を占めると、洗浄剤組成物が適切な粘度を有するようになり、取扱性が良好となる。
【００１８】
また、Ｒの炭素数が１５以上のものが、好ましくはＲ全体の１０モル％以下を占め、より好ましくは８モル％以下を占め、より好ましくは６モル％以下を占め、さらに好ましくは５モル％以下を占めると、洗浄剤組成物が低温でより白濁しにくくなる。
【００１９】
〔洗浄剤組成物〕
本発明の洗浄剤組成物は、アニオン性界面活性剤Ａおよび両性界面活性剤Ｂとともに、水をさらに含む組成物である。
洗浄剤組成物の２５℃における粘度は、洗浄剤組成物の取扱性が良好であるためには、通常１０００ｍＰａ・ｓ以上であり、好ましくは２０００ｍＰａ・ｓ以上、より好ましくは３０００ｍＰａ・ｓ以上、さらに好ましくは４０００ｍＰａ・ｓ以上、特に好ましくは５０００ｍＰａ・ｓ以上である。洗浄剤組成物の２５℃における粘度の上限値は特にないが、好ましくは４００００ｍＰａ・ｓである。
【００２０】
両性界面活性剤Ｂに対するアニオン性界面活性剤Ａの比率（Ａ／Ｂ）については、特に限定はないが、好ましくは０．２≦Ａ／Ｂ≦４．０、より好ましくは０．４≦Ａ／Ｂ≦３．５、さらに好ましくは０．６≦Ａ／Ｂ≦３．０、特に好ましくは０．７≦Ａ／Ｂ≦２．８を満足する。Ａ／Ｂが小さ過ぎ、または、大き過ぎると、洗浄剤組成物の取扱性が低下することがある。
アニオン性界面活性剤Ａおよび両性界面活性剤Ｂの合計が洗浄剤組成物全体に占める重量割合については、特に限定はないが、洗浄剤組成物が良好な取扱性を有するためには、５〜４０重量％であると好ましく、５〜３５重量％であるとより好ましく、７〜３２重量％であるとさらに好ましく、１０〜３０重量％であると特に好ましく、１２〜２８重量％であると最も好ましい。上記重量割合が５重量％未満であると、十分な洗浄性が得られなくなることがある。一方、上記重量割合が４０重量％を超えると、粘度が高くなりすぎ洗浄剤組成物が流動性を失ってしまうことがある。
【００２１】
水が洗浄剤組成物全体に占める重量割合については、特に限定はないが、洗浄剤組成物が良好な取扱性を有するためには、５０〜９５重量％であると好ましく、５５〜９０重量％であるとより好ましく、６０〜８８重量％であるとさらに好ましく、６３〜８５重量％であると特に好ましく、６５〜８５重量％であると最も好ましい。水の重量割合が５０重量％未満であると、粘度が高くなりすぎ洗浄剤組成物が流動性を失ってしまうことがある。一方、水の重量割合が９５重量％を超えると、十分な洗浄性が得られなくなる。
本発明の洗浄剤組成物は、上記で説明したアニオン性界面活性剤Ａおよび両性界面活性剤Ｂ以外に、ポリオキシエチレンアルキルエーテル、ポリオキシエチレンポリオキシプロピレンアルキルエーテル等に代表される非イオン性界面活性剤等のその他の界面活性剤や、pH調整剤、キレート剤、ハイドロトローズ剤、水溶性高分子、防腐剤、香料、色素、溶媒等の通常の洗浄剤が含有する他成分等を含有していても良い。
【００２２】
本発明の洗浄剤組成物の製造方法については、特に限定はなく、洗浄剤を製造する通常の方法に従って、アニオン性界面活性剤Ａ、両性界面活性剤Ｂおよび水とともに、必要に応じて上記で説明した他成分を配合する方法を挙げることができる。この方法では、必要に応じて、配合の前後で加熱や冷却等を行ってもよい。
本発明の洗浄剤組成物の用途としては、たとえば、シャンプー、フェイスウオッシュ、ボディーウオッシュ、液体ソープ、浴室洗浄剤、トイレ洗浄剤、台所用洗浄剤、食器用洗浄剤等を挙げることができる。
【実施例】
【００２３】
以下に、本発明の実施例を、その比較例とともに具体的に説明する。なお、本発明はこれらの実施例に限定されるものではない。以下の実施例および比較例において、断りのない限り、「部」とは「重量部」を意味し、「％」とは「重量％」を意味するものとする。
以下の実施例および比較例において、洗浄剤組成物の洗浄性、低温安定性および取扱性の評価は、以下に示す方法で行った。
【００２４】
〔洗浄性〕
人工汚垢（精製鉱物油）を塗布した１００メッシュ金網洗浄基板を、洗浄剤組成物の０．２％水溶液中に浸漬し、洗浄されずに金網洗浄基板に残った人工汚垢の残存率を算出した。洗浄性の評価基準は以下に示すとおりである。
○：洗浄性良好（残存率１０％未満）
△：洗浄性やや不良（残存率１０％以上３０％未満）
×：洗浄性不良（残存率３０％以上）
【００２５】
〔低温安定性〕
洗浄剤組成物を調製後、−５℃で７日間静置し、その外観を肉眼にて観察した。低温安定性の評価基準は以下に示すとおりである。
○：低温安定性良好（透明液体で外観の変化なし）
△：低温安定性やや不良（わずかに白濁または分離が生じる）
×：低温安定性不良（沈殿または固化が認められる）
【００２６】
〔取扱性〕
洗浄剤組成物を２５℃の恒温槽に２４時間静置した後、ブルックフィールド式回転粘度計で粘度ηを測定し、以下に示す評価基準で取扱性を評価した。
○：取扱性良好（１０００ｍＰａ・ｓ≦η）
×：取扱性不良（１０００ｍＰａ・ｓ＞η）
【００２７】
〔実施例１〕
ＰＯＥ（３）ラウリルエーテル硫酸ナトリウム１１部、ミリスチルジメチルアミノ酢酸ベタイン４部および精製水８５部を配合して、洗浄剤組成物を調製した。ここで、ＰＯＥ（３）ラウリルエーテル硫酸ナトリウムとは、ここでＰＯＥ（３）はオキシエチレン基の繰返し単位数が３であるポリオキシエチレン基を意味する。
得られた洗浄剤組成物について、洗浄性、低温安定性および取扱性を評価した。その評価結果を表１に示す。
【００２８】
〔実施例２〜８および比較例１〜７〕
実施例２〜８および比較例１〜７では、実施例１を表１および表２に示すようにそれぞれ変更する以外は実施例１と同様に配合して、洗浄剤組成物を得た。その評価結果も表１および表２に示す。
なお、比較例７で用いたヤシアルキルジメチルアミノ酢酸ベタインでは、一般式（１）においてＲの炭素数１４のものがＲ全体の１７．６モル％を占め、Ｒの炭素数１３以下のものがＲ全体の６３．５モル％を占め、Ｒの炭素数１５以上のものがＲ全体の１８．９モル％を占めていた。
【００２９】
【表１】
2015113355.tif 000004
【００３０】
【表２】
2015113355.tif 000005
【００３１】
実施例１〜８の洗浄剤組成物では、いずれも低温で白濁しにくく、粘度が１０００ｍＰａ・ｓ以上で取扱性が良好である。それに対して、比較例１〜７の洗浄剤組成物では低温で白濁したり、粘度が１０００ｍＰａ・ｓ未満と低くなり取扱性が不良となったり、十分な洗浄性が得られなかった。